(57)【特許請求の範囲】
【請求項１】
装置本体の上面に形成される原稿載置面に原稿を押圧する原稿カバーを前記原稿載置面に対して開閉可能に支持するヒンジ構造であって、
前記装置本体の上面の前記原稿載置面から外れた位置において下方に向かって形成され、上部に出入口部分を有する取付凹部と、
前記取付凹部の出入口部分から挿脱可能なように前記原稿カバーから下方に突設され、上端部が前記原稿カバーに回動可能に連結される取付部材と、
前記取付凹部の出入口部分において前記取付部材の前記原稿載置面側に接触するように前記装置本体に設けられる第１回転体と、
前記第１回転体の設置位置の反対側の前記取付凹部に接触するように前記取付部材の下部に設けられる第２回転体と、
前記取付部材の下端から下方に向かって延出する弾性部材と、
を備えることを特徴とするヒンジ構造。
【請求項２】
前記弾性部材は、上方への外力の作用によって前記取付部材の内部に収納可能なように構成されることを特徴とする請求項１に記載のヒンジ構造。
【請求項３】
前記取付部材の側面に形成される上下方向に延びる長孔と、
前記長孔に沿って上下にスライド可能なように前記弾性部材の側面に突設されるピンと、
を備えることを特徴とする請求項１又は２に記載のヒンジ構造。
【請求項４】
前記第１回転体及び前記第２回転体はコロであることを特徴とする請求項１〜３のいずれかの請求項に記載のヒンジ構造。
【請求項５】
請求項１〜４のいずれかの請求項に記載のヒンジ構造を備えることを特徴とする画像形成装置。
【発明の詳細な説明】
【技術分野】
【０００１】
本発明は、原稿カバーを有する複写機、プリンター、スキャナー等に好適に用いられるヒンジ構造及びこれを備えた画像形成装置に関する。
【背景技術】
【０００２】
従来、画像形成装置には、自動的にプラテンガラス（原稿台）上に供給されて画像形成処理された原稿を排出させるための自動原稿送り装置（ＡＤＦ）が設けられている。この自動原稿送り装置は、ヒンジ構造によって、プラテンガラスに対して開閉可能に支持されており、閉鎖時にプラテンガラス上の原稿を押圧する原稿カバーを備えている。
【０００３】
従来のこの種のヒンジ構造は、装置本体の上面に形成される取付凹部に、原稿カバーに突設される取付部材が挿脱可能に設けられて構成されている。そして、この種のヒンジ構造を備えた画像形成装置では、本などの厚い原稿を読み取るために原稿を原稿カバーでプラテンガラスに押圧する際や、定期的な保守作業を行うために自動原稿送り装置を取り外す際に、取付部材が取付凹部に沿って上方に持ち上がるようになっている。ところが、その際、特にヒンジ構造に大きな荷重が作用した場合には、取付部材がスムーズに持ち上がらずに取付凹部に強く擦れることで、ヒンジ構造が破損したり、変形したりする不具合が発生する虞がある。
【０００４】
そこで、このような問題を解決すべく、例えば、特許文献１では、取付部材（ヒンジ足）の上下２箇所にコロを取り付けると共に該取付部材の下部に抜け止め防止用の凸部を設けたヒンジ構造を備えた画像形成装置が提案されている。
【先行技術文献】
【特許文献】
【０００５】
【特許文献１】特開平８−２９８９２号公報
【発明の概要】
【発明が解決しようとする課題】
【０００６】
しかしながら、上記した特許文献１に記載されているヒンジ構造では、取付部材が取付凹部に沿って上方に持ち上がって上側のコロが取付凹部から外れると、取付部材が前方に倒れて取付凹部をこじる結果になり、取付部材がスムーズに持ち上がらない状態になる場合がある。また、使用者の不注意で、規定の制限厚さ以上に厚い原稿を原稿カバーで押さえ付けた場合には、ヒンジ構造が破損したり、変形したりする不具合が発生する虞がある。
【０００７】
本発明は上記した課題を解決すべくなされたものであり、取付凹部に対する取付部材の挿脱動作をスムーズに行うことができるようにすると共に、破損や変形等の不具合の発生を防止することのできるヒンジ構造及びこれを備えた画像形成装置を提供することを目的とするものである。
【課題を解決するための手段】
【０００８】
上記した目的を達成するため、本発明は、装置本体の上面に形成される原稿載置面に原稿を押圧する原稿カバーを前記原稿載置面に対して開閉可能に支持するヒンジ構造であって、前記装置本体の上面の前記原稿載置面から外れた位置において下方に向かって形成され、上部に出入口部分を有する取付凹部と、前記取付凹部の出入口部分から挿脱可能なように前記原稿カバーから下方に突設され、上端部が前記原稿カバーに回動可能に連結される取付部材と、前記取付凹部の出入口部分において前記取付部材の前記原稿載置面側に接触するように前記装置本体に設けられる第１回転体と、前記第１回転体の設置位置の反対側の前記取付凹部に接触するように前記取付部材の下部に設けられる第２回転体と、を備えることを特徴とする。
【０００９】
この構成によれば、取付凹部に対する取付部材の挿脱動作をスムーズに行わせることができ、ヒンジ構造に対する破損や変形等の不具合の発生を防止することができる。
【００１０】
また、本発明に係るヒンジ構造は、前記取付部材の下端から下方に向かって延出する弾性部材をさらに備えるのが好ましい。
【００１１】
この構成によれば、取付部材が取付凹部から急に外れることによる衝撃を回避することができ、ヒンジ構造の破損や変形等の不具合の発生を防止することができる。
【００１２】
また、本発明に係るヒンジ構造において、前記弾性部材は、上方への外力の作用によって前記取付部材の内部に収納可能なように構成されるのが好ましい。
【００１３】
この構成によれば、弾性部材の未使用時に取付部材の内部に収納することができるため、取付凹部の大きさを最小限に抑制することができる。
【００１４】
また、本発明に係るヒンジ構造は、前記取付部材の側面に形成される上下方向に延びる長孔と、前記長孔に沿って上下にスライド可能なように前記弾性部材の側面に突設されるピンと、を備えていてもよい。
【００１５】
この構成によれば、弾性部材を上下方向に円滑且つ安定して移動させることができる。
【００１６】
また、本発明に係るヒンジ構造において、前記第１回転体及び前記第２回転体はコロであってもよい。
【００１７】
この構成によれば、簡単な構成で円滑な動作を行なわせることができる。
【００１８】
上記した目的を達成するため、本発明の画像形成装置は、上記したいずれかのヒンジ構造を備えることを特徴とする。
【００１９】
この構成によれば、原稿カバーの開閉動作をスムーズに行わせることができ、その際にヒンジ構造に対して破損や変形等の不具合が発生するのを防止することができる。
【発明の効果】
【００２０】
本発明によれば、取付凹部に対する取付部材の挿脱動作をスムーズに行うことができるようになると共に、破損や変形等の不具合の発生を防止することができる等、種々の優れた効果を得ることができる。
【図面の簡単な説明】
【００２１】
【図１】本発明の実施形態に係る複合機を模式的に示す断面図である。
【図２】本発明の実施形態に係る複合機であって、装置本体から自動原稿送り装置を取り外した状態を示す斜視図である。
【図３】本発明の実施形態に係るヒンジ構造を示す斜視図である。
【図４】本発明の実施形態に係るヒンジ構造の側面図及び装置本体並びに原稿カバーの一部を示す側断面図である。
【図５】本発明の実施形態に係る複合機において、厚い原稿を原稿カバーでプラテンガラスに押圧した状態を模式的に示す側面図である。
【図６】本発明の実施形態に係るヒンジ構造において、取付部材が持ち上げられた状態を模式的に示す側面図である。
【発明を実施するための形態】
【００２２】
以下、本発明の実施形態について、添付した図面を参照しながら説明する。なお、以下の説明では、便宜上、各図において矢印で示すように各方向を規定する。
【００２３】
まず、図１及び図２を参照して、実施形態に係る画像形成装置としての複合機１について説明する。ここで、図１は複合機１の内部構造を模式的に示す断面図である。図２は装置本体２から自動原稿送り装置５を取り外した状態を示す斜視図である。
【００２４】
複合機１は、略箱型形状の装置本体２（筐体）の内部に作像装置３及び画像読取装置４等を収容して構成されている。また、装置本体２の上板２ａ（図２等参照）には、画像読取装置４の画像読取位置Ｈに原稿Ｓを一枚ずつ自動的に送り込む自動原稿送り装置５が搭載されている。
【００２５】
作像装置３は、用紙を収納する用紙収容部６と、用紙収容部６から搬送経路７に供給された用紙にトナー像を転写する画像形成部８と、転写したトナー像を用紙に定着させる定着装置９と、定着後の用紙の排出先となる用紙排出部１０と、を備えている。なお、原稿Ｓや用紙は、紙製の記録材に限らず、樹脂フィルムやＯＨＰシート等の記録材も含まれる。
【００２６】
画像形成部８は、例えば、パーソナルコンピューター（図示せず）や画像読取装置４から送信された画像データに基づいてモノクロの画像形成処理を行うものであり、補給用トナー（ブラック）を収納したトナーコンテナ１１を備えている。また、画像形成部８は、回転可能に設けられる像担持体としての感光体ドラム１２の周囲に転写プロセス順に配置される帯電器１３と、露光器１４と、現像器１５と、転写ローラー１６と、クリーニング装置１７と、を含んで構成されている。
【００２７】
画像読取装置４は、装置本体２の上板２ａに固定されるコンタクトガラス２０及び原稿載置面としてのプラテンガラス２１と、各ガラス２０，２１上の原稿Ｓを読み取り可能に設けられる光学走査ユニット２２と、光学走査ユニット２２からの光を反射する反射ユニット２３と、反射光が集光レンズ２４を介して入力されるＣＣＤ２５と、を含んで構成されている。なお、集光レンズ２４及びＣＣＤ２５は固定されている。
【００２８】
光学走査ユニット２２は、原稿Ｓに向かって光を照射する光源２６と、原稿Ｓで反射した光を反射ユニット２３に向ける反射部２７と、を有している。原稿Ｓで反射した光がＣＣＤ２５に入力されることで、原稿Ｓ上の画像が電気信号に変換される。
【００２９】
光学走査ユニット２２は、画像読取位置Ｈに固定された状態で、自動原稿送り装置５によってコンタクトガラス２０上を通過する原稿Ｓ（の画像）を読み取り可能に構成されている。また、光学走査ユニット２２は、画像読取位置Ｈから右方向に走査することで、プラテンガラス２１上に載置された原稿Ｓを読み取ることも可能となっている。この際、原稿Ｓから集光レンズ２４までの光路長が常に一定となるように、反射ユニット２３は、光学走査ユニット２２と同一方向で且つ１／２の距離だけ移動するようになっている。
【００３０】
自動原稿送り装置５（ＡＤＦ：Ａｕｔｏ  Ｄｏｃｕｍｅｎｔ  Ｆｅｅｄｅｒ）は、原稿Ｓを載置する供給トレイ３０と、供給トレイ３０上の原稿Ｓを画像読取装置４に送り出す搬送機構３１と、画像読み取り後の原稿Ｓを受ける排出トレイ３２と、搬送機構３１及び排出トレイ３２を支持する原稿カバー３３と、を備えている。
【００３１】
供給トレイ３０は、複数の原稿Ｓを積載できるように樹脂製の受皿状に形成されている。供給トレイ３０は、搬送機構３１の上部において右方に延設されている。供給トレイ３０は、搬送機構３１に向かって僅かに下方に傾斜して設けられている。供給トレイ３０の原稿積載面には、幅方向（搬送方向に直交する方向）にスライドし、積載した原稿Ｓの幅方向の位置を規制する一対の原稿搬送ガイド３０ａが設けられている。
【００３２】
搬送機構３１は、図示を省略するが、供給トレイ３０と排出トレイ３２とを連通させるように折り返されて略Ｕ字状に形成された原稿搬送路に沿って回転可能に配設された複数のローラー等を含んで構成されている。
【００３３】
排出トレイ３２は、排出された原稿Ｓを受けることができるように受皿状に形成されている。排出トレイ３２は、供給トレイ３０の下方に配設され、原稿Ｓを受ける面が供給トレイ３０と略平行に形成されている。
【００３４】
原稿カバー３３は、装置本体２の上板２ａに設けられるプラテンガラス２１に原稿Ｓを押圧するものである。原稿カバー３３は、搬送機構３１及び排出トレイ３２の下側に設けられている。原稿カバー３３は、略矩形平板状に形成されるカバーフレーム３４と、カバーフレーム３４の下面に設けられるマット３５と、カバーフレーム３４の背面側に設けられる左右一対のヒンジ構造３６と、を有している。
【００３５】
カバーフレーム３４は、樹脂材料で、搬送機構３１及び排出トレイ３２の外装と一体に形成されている。マット３５は、弾性を有する樹脂材料で、カバーフレーム３４よりも小さな矩形平板状に形成されている。原稿カバー３３を閉じた状態で、カバーフレーム３４の下面後部には、左右一対の嵌合取付部５０が凹設されている。具体的には、左右一対の嵌合取付部５０は、それぞれ、搬送機構３１と排出トレイ３２とを支持することのできる位置に形成されている。各嵌合取付部５０には、後述する各ヒンジ構造３６の支持部材３７が嵌め込まれる。
【００３６】
原稿カバー３３は、左右一対のヒンジ構造３６を介して装置本体２の上面に取り付けられている（図２参照）。すなわち、自動原稿送り装置５は、各ヒンジ構造３６の回転軸を中心として回動するように構成されている。そして、自動原稿送り装置５の正面側を上方に持ち上げるように回動させることで、コンタクトガラス２０及びプラテンガラス２１が露出するように構成されている。プラテンガラス２１上に原稿Ｓを載置して自動原稿送り装置５を閉じると、当該原稿Ｓは、マット３５によって上側から押さえられる。
【００３７】
ここで、複合機１による画像形成処理について簡単に説明する。光学走査ユニット２２等によって読み取られ、光電変換された画像データは、画像読取装置４から作像装置３に出力される。画像読取装置４等から作像装置３に画像データが入力されると、帯電器１３によって所定電位に帯電した感光体ドラム１２の表面に対し、露光器１４によって画像データに応じた露光が行われる。これにより感光体ドラム１２上に形成された静電潜像は、現像器１５によってトナー像に現像される。このトナー像は、転写ローラー１６に転写バイアスが印加されることにより、用紙収容部６から搬送経路７を搬送されてきた用紙に転写され、定着装置９によって用紙に定着される。トナー像が定着した用紙は用紙排出部１０に排出される。転写後の感光体ドラム１２の表面に残留したトナーは、クリーニング装置１７によって除去される。
【００３８】
次に、図２ないし図４を参照して、実施形態に係るヒンジ構造３６について詳細に説明する。図３はヒンジ構造３６を示す斜視図である。図４はヒンジ構造３６の側面図及び装置本体２並びに原稿カバー３３の一部を示す側断面図である。なお、以下の説明では、原稿カバー３３（自動原稿送り装置５）を閉じた状態を基準として説明する。
【００３９】
ヒンジ構造３６は、プラテンガラス２１に対して原稿カバー３３（自動原稿送り装置５）を開閉可能に支持するものである。ヒンジ構造３６は、カバーフレーム３４の裏面（下面）であって、背面側の一辺に沿って互いに離間して配設されている。なお、ヒンジ構造３６は、左右一対に設けられているが、それぞれ同一構造を有しているため、以下、一方のヒンジ構造３６について説明する。
【００４０】
図２ないし図４に示すように、ヒンジ構造３６は、原稿カバー３３に設けられる支持部材３７と、支持部材３７に対して上端部（一端部）が回動可能に連結されて装置本体２に着脱可能に設けられる取付部材３８と、取付部材３８に対応するように装置本体２のプラテンガラス２１の後方位置に設けられる取付凹部３９と、を備えている。
【００４１】
支持部材３７は、略矩形箱状に形成される嵌合部４０と、嵌合部４０の後端から後方に延出する左右一対の軸支板４１の間に設けられる回動軸部４３と、嵌合部４０の外側に突設される左右一対のフランジ部４４と、を有している。
【００４２】
図４に示すように、嵌合部４０は中空に形成されている。嵌合部４０内には、原稿カバー３３（自動原稿送り装置５）の開閉を補助するアシスト機構４５が内蔵されている。アシスト機構４５は、先端面を嵌合部４０の前側内面に当接する左右一対のアシストバネ４５ａ（所謂コイルバネ）と、各アシストバネ４５ａを支持するバネ支持部４５ｂと、バネ支持部４５ｂの後端面に当接するアシストカム４５ｃと、を有している。支持部材３７を上方に回動させると、バネ支持部４５ｂの後端面がアシストカム４５ｃのカム面に沿って相対的に移動する。これにより、圧縮されていた各アシストバネ４５ａが伸び、この伸びる力を利用して原稿カバー３３（自動原稿送り装置５）の開放を補助するようになっている。
【００４３】
左右一対の軸支板４１は、それぞれ、側面視で半円板状に形成され、嵌合部４０の左右両側面と同一平面を成している。各軸支板４１には、軸固定穴４１ａが左右方向に貫通形成されている。回動軸部４３は、円柱形状に形成され、その左右両端部が一対の軸支板４１の軸固定穴４１ａに圧入されている。
【００４４】
図３に良く示されているように、一対のフランジ部４４は、嵌合部４０の左右外側面の下寄り位置からそれぞれ外方に延設されている。各フランジ部４４は、平板状に形成されている。各フランジ部４４には、前後方向に並んで３つの締結穴４４ａが貫通形成されている。各締結穴４４ａには、ネジ（図示せず）が挿通され、このネジがカバーフレーム３４の各嵌合取付部５０の各ネジ孔（図示せず）に締結されることで、原稿カバー３３に支持部材３７が取り付けられる。
【００４５】
図３及び図４に示すように、取付部材３８は、アシストカム４５ｃと一体に設けられる軸受部４６と、軸受部４６から下方に延設される脚部４７と、を有している。
【００４６】
図４に示すように、軸受部４６には、上記したアシストカム４５ｃが前方に向かって突出するように設けられている。また、軸受部４６には、軸受穴４６ａが左右方向に貫通形成され、この軸受穴４６ａに、上記した回動軸部４３が挿設されている。すなわち、左右一対の軸固定穴４１ａに支持された回動軸部４３は、軸受穴４６ａに軸支されている。これにより、支持部材３７は、回動軸部４３を中心として、取付部材３８に回動可能に支持される。また、軸受部４６の下部には、前後左右外側に突出する挿入規制部４８が形成されている。なお、挿入規制部４８の下面には、下方に向かって突出する突起４８ａが形成されている。
【００４７】
図３及び図４に示すように、取付部材３８の脚部４７は、中空の略角柱状に形成されている。脚部４７の下部後側には、斜めに面取りされたテーパ面４７ａが形成されている。脚部４７の左右側面４７ｂの下部後側には、それぞれ、テーパ面４７ａの上端部付近に第２回転体としての取付部材側コロ４９が設けられている。各取付部材側コロ４９は、左右側面４７ｂに突設される軸部４９ａと軸部４９ａに回動可能に支持される回転部４９ｂとにより構成されている。回転部４９ｂは円板形状を有し、その表面は樹脂材料（ゴム、ナイロン、ウレタン等）で構成され、取付凹部３９の後側内面に接触するように取り付けられる。また、脚部４７の左右側面の下部には、上下方向に長い長孔５０が穿設されている。
【００４８】
取付部材３８の脚部４７の下端４７ｃは開口され、脚部４７の内部からこの下端４７ｃを通って下方に向かって延出するように弾性部材５１が設けられている。弾性部材５１は、例えばゴム製で脚部４７より細い略角柱状を成し、その左右側面の下部には長孔５０に係合可能なようにピン５２が突設されている。これにより、弾性部材５１は、自重により取付部材３８の下端４７ｃから降下する一方、上方への外力の作用によって上昇して脚部４７の内部に収納可能となっている。
【００４９】
取付凹部３９は、装置本体２の後側において上板２ａから下方に向かって形成されている。取付凹部３９は、取付部材３８の脚部４７が嵌合可能な形状及び大きさに形成されており、図４に示すように、原稿カバー３３を閉じた状態で、弾性部材５１が取付凹部３９の底面３９ａに当接して脚部４７の内部に収容されるようになっている。取付凹部３９の上部には出入口部分３９ｂが形成され、取付凹部３９を臨む出入口部分３９ｂの前側角部付近に第１回転体としての装置本体側コロ５３が設けられている。装置本体側コロ５３は左右方向に延びる軸部５３ａと軸部５３ａに回動可能に支持される回転部５３ｂとにより構成されている。回転部５３ｂは脚部４７の左右方向の幅に対応した長さを有する円筒形状を有し、その表面は樹脂材料（ゴム、ナイロン、ウレタン等）で構成され、脚部４７の前面に４７ｄに接触するように取り付けられる。
【００５０】
このような構成のヒンジ構造３６を備えた自動原稿送り装置５を装置本体２に装着する場合、まず、図２に示すように、ヒンジ構造３６の支持部材３７と取付部材３８との成す角度が９０°より大きくなるようにして自動原稿送り装置５を装置本体２の上方に移動させる。この時、弾性部材５１はその自重により脚部４７から下方に延出した状態となっている。
【００５１】
この状態から、自動原稿送り装置５を装置本体２に対して降下させ、弾性部材５１を取付凹部３９に挿入させた後、脚部４７を取付凹部３９に挿入させると、取付部材側コロ４９が取付凹部３９に回転しながら接触すると共に、装置本体側コロ５３が脚部４７の前面４７ｄに回転しながら接触する。この時、脚部４７より細い弾性部材５１がガイド機能を果たすと共に、取付部材側コロ４９及び装置本体側コロ５３がそれぞれ回転しながら接触することで摩擦抵抗を削減することができるため、取付凹部３９に対する取付部材３８の挿入動作を円滑且つ容易に行うことができる。
【００５２】
さらに、取付凹部３９に対する脚部４７の挿入動作を進めると、取付部材３８の挿入規制部４８（突起４８ａ）が、装置本体２（上板２ａ）の上面に当接し、取付凹部３９に対する脚部４７の挿入が停止する（図４参照）。これにより、装置本体２に対する自動原稿送り装置５の取り付けが完了する。
【００５３】
次に、図４ないし図６を参照しつつ、上記したヒンジ構造３６の作用について説明する。ここで、図５は厚い原稿Ｄを原稿カバー３３でプラテンガラス２１に押圧した状態を模式的に示す側面図、図６は取付部材３８が持ち上げられた状態を模式的に示す側面図である。
【００５４】
図５に示すように、本などの厚い原稿Ｄを読み取るために原稿Ｄを原稿カバー３３でプラテンガラス２１に押圧すると、取付部材３８は、脚部４７の下端４７ｃが取付凹部３９の底面３９ａに近接した状態（図４参照）から取付凹部３９に沿って上昇し、弾性部材５１はその自重により脚部４７の下端から下方に突出する。この間、脚部４７の前面４７ｄに装置本体側コロ５３が回転しながら接触すると共に、取付部材側コロ４９が装置本体側コロ５３の設置位置の反対側（後側）の取付凹部３９に回転しながら接触する。したがって、脚部４７は、取付凹部３９をこじることなく、取付凹部３９に沿ってスムーズに持ち上がり、ヒンジ構造３６が破損したり、変形したりする不具合の発生を防止することができる。
【００５５】
一方、例えば使用者の不注意で、規定の制限厚さ以上に厚い原稿を原稿カバー３３で押さえ付けてしまった場合には、取付部材３８がさらに持ち上げられて脚部４７が取付凹部３９から抜け出る虞がある。また、定期的な保守作業を行うために自動原稿送り装置５を取り外す際に、取付部材３８の脚部４７を取付凹部３９から引き抜く必要がある。このような場合、図６に示すように、取付部材側コロ４９は取付凹部３９と接触しなくなるが、脚部４７の下端４７ｃから自重により延出した弾性部材５１が徐々に撓んで取付凹部３９に接触すると共に、装置本体側コロ５３が脚部４７の前面４７ｄ又は弾性部材５１に接触した状態が最後まで保持される。このため、脚部４７が取付凹部３９から急に外れることによる衝撃を回避することができ、ヒンジ構造３６が破損したり、変形したりする不具合が生じるのを防止することができる。
【００５６】
上記したように本発明の実施形態に係るヒンジ構造３６及びそれを備えた複合機１によれば、本などの厚い原稿Ｄを自動原稿送り装置５でプラテンガラス２１に上から強く押圧したとしても、取付部材側コロ４９、装置本体側コロ５３、及び弾性部材５１の作用により、円滑な動作を実現することができるため、ヒンジ構造３６の破損や損傷を確実に防止することができる。また、この時、取付部材３８の脚部４７が取付凹部３９を上下に移動することによって、摩擦による擦れ傷や削れ粉が発生することがない。
【００５７】
なお、上記した実施形態に係るヒンジ構造３６では、第１回転体として装置本体側コロ５３を使用し、第２回転体として取付部材側コロ４９を使用したが、本発明はこれらの形態に限定されるものではない。また、回転部４９ｂ，５３ｂの形状、寸法、及び設置数についても、これに限定されるものではない。すなわち、例えば、コロに代えて、略樽形状のローラーや全方向に回転可能な所謂ボールキャスター等を用いたりする等、各種変更が可能である。
【００５８】
なお、上記した本発明の実施形態の説明は、本発明に係るヒンジ構造３６及びこれを備えた複合機１における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施の形態における構成要素は適宜、既存の構成要素等との置き換えが可能であり、且つ、他の既存の構成要素との組合せを含む様々なバリエーションが可能であり、上記した本発明の実施の形態の記載をもって、特許請求の範囲に記載された発明の内容を限定するものではない。
【符号の説明】
【００５９】
１  複合機（画像形成装置）
２  装置本体
２１  プラテンガラス（原稿載置面）
３３  原稿カバー
３６  ヒンジ構造
３８  取付部材
３９  取付凹部
３９ｂ  出入口部分
４９  取付部材側コロ（第２回転体）
５０  長孔
５１  弾性部材
５２  ピン
５３  装置本体側コロ（第１回転体）
【図１】
0006311638.tif 000002
【図２】
0006311638.tif 000003
【図３】
0006311638.tif 000004
【図４】
0006311638.tif 000005
【図５】
0006311638.tif 000006
【図６】
0006311638.tif 000007